(57)【要約】  本発明は、車両運転時に、自動車のクラッチが伝達するトルクのマッピング（２）を、クラッチ制御部材（３）の位置に基づいて求める装置に関する。前記装置は、前記マッピング（２）を、前記クラッチ制御部材（３）の位置閾値に基づいて更新する手段（５）を含む。前記更新手段（５）は、前記閾値の値を、前記マッピング（２）に保存された前記制御部材（３）の前記位置の最小値及び最大値に基づいて、かつ前記閾値の現在値に基づいて変更する計算手段（７）を含む。
2010538216.tif 000002
【特許請求の範囲】
【請求項１】
車両の走行中に、原動機付き車両に取り付けられるクラッチが伝達するトルクのマッピング（２）を、クラッチ制御部材（３）の位置の関数として求める装置であって、前記装置は、前記マッピング（２）を、前記クラッチ制御部材（３）の位置閾値の関数として更新する手段（５）を備え、前記更新手段（５）は、前記閾値の値を、前記マッピング（２）に記録された前記制御部材（３）の前記位置の最小値及び最大値の関数として、かつ前記閾値の現在値の関数として変更する計算手段（７）を含むことを特徴とする装置。
【請求項２】
前記位置閾値は、上位閾値と、下位閾値と、中間閾値と、を含む、請求項１に記載の装置。
【請求項３】
前記更新手段（５）は、前記マッピング（２）の更新完了のカウンタ（８）を含む、請求項１又は２に記載の装置。
【請求項４】
前記更新手段（５）は、前記カウンタ（８）の現在値を所定の値と比較するコンパレータ（９）を含む、請求項３に記載の装置。
【請求項５】
前記更新手段（５）は、前記コンパレータ（９）が前記カウンタ（８）の前記現在値が前記所定の値に等しいと判断する場合に、前記計算手段（７）を実行するのに適している、請求項４に記載の装置。
【請求項６】
クラッチが伝達するトルクのマッピング（２）を求める請求項１から５のいずれか１項に記載の装置を取り付けた原動機付き車両の坂道発進を、勾配センサ（２３）及び被制御ブレーキ装置（１８）を用いてアシストするシステムであって、前記システムは、前記ブレーキ装置（１８）を制御する手段（１７）を含み、前記手段（１７）は、重力に打ち勝つために前記クラッチが伝達する必要のある前記トルクを推定する手段（２０）と、伝達する必要のある前記トルク、及び、前記クラッチが伝達しかつ前記マッピング（２）から得られるトルクのコンパレータ（２１）と、を備えることを特徴とするシステム。
【請求項７】
前記ブレーキ装置（１８）を制御する前記手段（１７）は、前記クラッチが伝達する前記トルクが、重力に打ち勝つために伝達する必要のあるトルク以上である場合に、前記ブレーキ装置（１８）のブレーキの解除を制御するのに適している、請求項６に記載のシステム。
【請求項８】
重力に打ち勝つために前記クラッチが伝達する必要のあるトルクを推定する前記手段（２０）は、伝達する必要のある前記トルクを次の関係式に基づいて計算するのに適しており：
ＣＴｄ＝ｒ（ｂ）．ρｗｈｅｅｌｓ．ｍ．ｇ．ｓｉｎ（θｔｉｌｔ）
上の関係式では：
ＣＴｄは、重力に打ち勝つためにクラッチが伝達する必要のあるＮｍで表わされるトルクであり；
ｒ（ｂ）は、ギアチェンジレバーのポジションｂに対応する無次元で表わされる変速比であり；
ρｗｈｅｅｌｓは、車両の車輪の半径をｍで表わし；
ｍは、ｋｇで表わされる車両の重量であり；
ｇは、９．８１ｍ．ｓ−２にほぼ等しい地球の表面における重力場であり；そして
θｔｉｌｔは、車両が置かれている表面の傾斜であり、勾配センサから得られ、かつｒａｄ（ラジアン）で表わされる傾斜である、請求項６又は７に記載のシステム。
【請求項９】
原動機付き車両に取り付けられるクラッチが伝達するトルクのマッピング（２）を、クラッチ制御部材（３）の位置の関数として求める方法であって、前記車両の走行中に、前記マッピング（２）が、前記クラッチ制御部材（３）の位置閾値に基づいて更新され、前記更新中に、前記閾値の値を、前記マッピング（２）に記録された前記制御部材（３）の前記位置の最小値及び最大値の関数として、かつ前記閾値の現在値の関数として変更することを特徴とする方法。
【発明の詳細な説明】
【技術分野】
【０００１】
本発明は、運転アシストの分野に関し、特に車両の始動または発車に関する。
【背景技術】
【０００２】
クラッチ曲線の推定、または更に正確には、原動機付き車両に取り付けられるクラッチが伝達するトルクのマッピングの推定は、原動機付き車両に搭載される種々のシステムに、特に原動機付き車両の坂道発進をアシストするシステムに利用することができる。
【０００３】
フランス特許出願第２，８２８，４５０号（ルノー）は、原動機付き車両の坂道発進アシスト装置について記載している。当該アシスト装置は主として、車両が位置している坂道の勾配を推定する手段と、運転者の動作を分析する手段と、車両のクラッチの特性曲線を求める手段と、車両のブレーキ手段の作動を自動的に解除する手段と、を備える。従って、原動機付き車両を坂道の所定位置に、駆動輪とエンジンとの動力伝達が遮断された状態で保持することができ、上向き勾配方向に、運転者が加速ペダル及びクラッチペダルを操作するだけで発車させることができ、運転者が駐車ブレーキを操作する必要がない。アシスト装置は、車輪に伝達されるトルクが、勾配及び重力に起因して車両に加わる力を打ち消すために十分大きくなると直ちに、ブレーキの解除を制御する。
【０００４】
原動機付き車両に取り付けられるクラッチが伝達するトルクのマッピングは、従来の方法では、車両が移動しているときに、所定かつ不変の位置閾値を利用して更新される。
【０００５】
従って、これら閾値の事前設定が正しく行なわれない場合、クラッチが伝達するトルクのマッピングの更新が不正に行なわれ、そして当該マッピングの更新が行なわれないことさえある。
【０００６】
更に、事前設定閾値は、クラッチが新品である場合にマッピングを更新するのに適しているが、クラッチが所定の摩耗度に達した後には適さなくなることが起こり得る。
【先行技術文献】
【特許文献】
【０００７】
【特許文献１】フランス特許出願第２，８２８，４５０号
【発明の概要】
【０００８】
本発明の１つの目的は、クラッチが摩耗している状態のクラッチが伝達するトルクのマッピングの更新の精度を高めることにある。
【０００９】
本発明の別の目的は、運転精度を高めた原動機付き車両の坂道発進アシストシステムを提供することにある。
【００１０】
本発明の一態様によれば、車両の走行中に、原動機付き車両に取り付けられるクラッチが伝達するトルクのマッピングを、クラッチ制御部材の位置の関数として求める装置が提案される。前記装置は、前記マッピングを、前記クラッチ制御部材の位置閾値の関数として更新する手段を備える。前記更新手段は、前記閾値の値を、前記マッピングに記録された前記制御部材の前記位置の最小値及び最大値の関数として、かつ前記閾値の現在値の関数として変更する計算手段を含む。
【００１１】
従って、クラッチ曲線がこれら閾値によって変わるということの他に、これら閾値はクラッチ曲線の変化によっても変わる。別の表現をすると、クラッチ曲線及び閾値は相互に依存する。クラッチ制御部材はクラッチペダルとすることができる。
【００１２】
一実施形態では、前記位置閾値は、上位閾値と、下位閾値と、中間閾値と、を含む。
【００１３】
クラッチ制御部材の位置、普通はクラッチペダルの位置は、クラッチペダルの回動範囲のパーセンテージとして定義され、この場合、０％は、クラッチペダルを完全に踏み込んだ状態、すなわちクラッチが完全に切断された状態に対応し、そして１００％は、クラッチペダルが踏み込まれていないか、または完全に放された状態、すなわちクラッチが完全に接続している状態に対応する。
【００１４】
上位閾値はクラッチペダルの１つの位置閾値に対応し、この位置閾値を上回ると、またはこの位置閾値に対応して、クラッチが完全に接続していると考えられ、この上位閾値は、例えば９５％である。下位閾値、例えば５％は、クラッチペダルの１つの位置閾値に対応し、この位置閾値を下回ると、またはこの位置閾値に対応して、クラッチが完全に切断されていると考えられる。更に、中間閾値、例えば８０％は１つの値であり、この値に対応して、クラッチが完全には接続していないと考えられ、そしてこの中間閾値を使用して、ギアボックスの変速比を特定する。従って、クラッチペダルの位置が中間閾値と上位閾値との間である場合、クラッチ及び特定される変速比の状態は、ヒステリシス現象が生じるので前のクラッチ状態によって変わる。
【００１５】
一実施形態では、前記更新手段は、前記マッピングの更新完了のカウンタを含む。
従って、クラッチマッピングの更新完了が所定回数行なわれた後に、繰り返すようにして位置閾値を再計算する、または更新することができる。
【００１６】
一実施形態では、前記更新手段は、前記カウンタの現在値を所定の値と比較するコンパレータを含む。
この所定の値は、クラッチペダルの位置閾値を変更する前に連続して行なわれたマッピングの更新完了の回数に対応する。
【００１７】
一実施形態では、前記更新手段は、前記コンパレータが前記カウンタの前記現在値が前記所定の値に等しいと判断する場合に、前記計算手段を実行するのに適している。
【００１８】
本発明の別の態様によれば、上述のようにクラッチが伝達するトルクのマッピングを求める装置を取り付けた原動機付き車両の坂道発進を、勾配センサ及び被制御ブレーキ装置を用いてアシストするシステムが更に提案される。前記坂道発進アシストシステムは、重力に打ち勝つために前記クラッチが伝達する必要のある前記トルクを推定する手段と、伝達する必要のある前記トルクと、前記マッピングから得られる前記クラッチが伝達するトルクとを比較する手段と、を備える。
従って、坂道発進アシストシステムは、特に当該システムがクラッチの摩耗を考慮に入れるので精度を高めることができる。
【００１９】
一実施形態では、前記ブレーキ装置を制御する前記手段は、前記クラッチが伝達する前記トルクが、重力に打ち勝つために伝達する必要のあるトルク以上である場合に、前記ブレーキ装置のブレーキの解除を制御するのに適している。
従って、坂道発進中に、ブレーキの解除を車両で自動的に管理し、そして運転者は、加速ペダル及びクラッチペダルにのみ専念することができ、駐車ブレーキについて心配する必要がない。
【００２０】
一実施形態では、重力に打ち勝つために前記クラッチが伝達する必要のあるトルクを推定する前記手段は、伝達する必要のある前記トルクを次の関係式に基づいて計算するのに適しており：
ＣＴｄ＝ｒ（ｂ）．ρｗｈｅｅｌｓ．ｍ．ｇ．ｓｉｎ（θｔｉｌｔ）
上の関係式では：
ＣＴｄは、重力に打ち勝つためにクラッチが伝達する必要のあるＮｍで表わされるトルクであり；
ｒ（ｂ）は、ギアチェンジレバーのポジションｂに対応する無次元で表わされる変速比であり；
ρｗｈｅｅｌｓは、ｍで表わされる車両の車輪の半径であり；
ｍは、ｋｇで表わされる車両の重量であり；
ｇは、９．８１ｍ．ｓ−２にほぼ等しい地球の表面における重力場であり；そして
θｔｉｌｔは、車両が置かれている表面の傾斜であり、勾配センサから得られ、かつｒａｄ（ラジアン）で表わされる傾斜である。
【００２１】
本発明の別の態様によれば、原動機付き車両に取り付けられるクラッチが伝達するトルクのマッピングを、クラッチ制御部材の位置の関数として求める方法が更に提案され、前記車両の走行中に、前記マッピングが、前記クラッチ制御部材の位置閾値に基づいて更新される。更に、前記更新中に、前記閾値の値を、前記マッピングに記録された前記制御部材の前記位置の最小値及び最大値の関数として、かつ前記閾値の現在値の関数として変更する。
【００２２】
本発明は、決して制限的ではなく、かつ添付の図面によって示される例として挙げられる多くの実施形態についての以下の詳細な説明を一読することにより一層明確に理解されるものと思われる。
【図面の簡単な説明】
【００２３】
【図１】図１は、本発明の一態様による、原動機付き車両に取り付けられるクラッチが伝達するトルクのマッピングを、クラッチ制御部材の位置の関数として求める装置の模式図である。
【図２】図２は、図１に係る装置を取り付けた原動機付き車両の坂道発進アシストシステムを表わすブロック図である。
【発明を実施するための形態】
【００２４】
図１は、本発明の一態様による、車両の走行中に原動機付き車両に取り付けられるクラッチが伝達するトルクのマッピングを、クラッチ制御部材、この例ではクラッチペダルの位置の関数として求める装置の一例を示している。
【００２５】
装置１では、原動機付き車両に取り付けられるクラッチが伝達するトルクのマッピング２を、車両の運転者が作動可能なクラッチペダル３の位置の関数として行なう。マッピング２を電子制御ユニット４に取り込み、メモリに保存することができる。電子制御ユニット４は、マッピング２を更新するモジュール５を含む。マッピング２を更新するモジュール５は、第１メモリモジュール６に保存されるクラッチ制御部材の位置閾値を使用する。
【００２６】
更新モジュール５は計算モジュール７を含み、これにより、クラッチペダル３の位置閾値の値を、クラッチマッピング２に記録されたクラッチペダル３の位置の最小値及び最大値の関数として、かつ、保存閾値の現在値または実際値の関数として変更することができる。
【００２７】
カウンタ８によってどの時点においても、所定の初期マッピング２に基づいて、車両が使用され始めた時点以降に実行されたマッピング２の更新完了回数を認識することが可能になる。更新モジュール５でマッピング２の更新完了を確認するたびに、カウンタ８が１単位インクリメントされる。
【００２８】
コンパレータ９は、カウンタ８の現在値を第２メモリモジュール１０に保存された所定の値Ｎｒｅｔｒｏと比較する。従って、マッピング２の更新がＮｒｅｔｒｏ回連続して行なわれた場合、更新モジュール５は計算モジュール７に指令して、第１メモリモジュール６に保存された閾値の値を、クラッチマッピング２に記録されたクラッチペダル３の位置の最小値及び最大値の関数として、そして第１メモリモジュール６に現時点で保存されている閾値の現在値の関数として変更させる。次に、カウンタ８がゼロにリセットされる。
【００２９】
更新モジュール５は、クラッチペダル３の位置を表わす情報アイテムをセンサ１１から接続手段１２を介して受信する。更に、クラッチが伝達するトルクのセンサ１３は、更新モジュール５に接続手段１４を介して、クラッチが伝達するトルクを表わす情報アイテムを供給する。一変形例として、トルクセンサ１３は推定器に置き換えることができる。
【００３０】
クラッチペダルの位置θｃｌｕｔｃｈは、クラッチペダル３の最大回動範囲に対するパーセンテージで表わされる。パーセンテージ０％は、クラッチが完全に切断された状態、すなわちクラッチペダル３が最大回動範囲の位置に踏み込まれた状態に対応し、パーセンテージ１００％は、クラッチが完全に接続している状態、すなわちクラッチペダル３が完全に放された状態に対応する。マッピング２では、トルク値は最小トルク値と最大トルク値との間で変化し、そしてトルク値のこの範囲は、所定数の範囲Ｎｒａｎｇｅに分割される。これらのトルク範囲の各々では、当該装置はこの範囲において測定される幾つかの値に基づいて、範囲ｉに対応する平均トルク：
ＣＣｉ（θｃｌｕｔｃｈ＿ＣＣ（ｉ），ＥＣＴＣＣ（ｉ））
を求める。この場合、θｃｌｕｔｃｈ＿ＣＣ（ｉ）は、現在範囲ｉに対応するクラッチペダル３の平均位置をパーセンテージで表わし、そしてＥＣＴＣＣ（ｉ）は、現在範囲ｉにおける平均トルクをＮｍで表わしている。
【００３１】
上位閾値θｃｌｕｔｃｈＨＢは、クラッチが当該位置を超えると接続すると考えられるクラッチペダル３の位置に対応する、すなわちトルク伝達状態にあるクラッチペダルの位置に対応する；当該上位閾値は、例えば最初は９５％とすることができる。下位閾値θｃｌｕｔｃｈＬＢは、クラッチが当該閾値を下回ると切断されると考えられるクラッチペダル３の位置閾値に対応する、すなわちトルクを全く伝達しない状態にあるクラッチペダルの位置に対応し、例えば最初は５％に等しい。上位位置閾値θｃｌｕｔｃｈＨＢに比較的近い中間位置閾値θｃｌｕｔｃｈＬＢも使用され、例えば最初は８０％に等しい。
【００３２】
別の表現をすると、これらの位置閾値に、学習された、または更新されたクラッチ曲線に関してインデックスを付ける。これらの位置閾値の変化は、クラッチマッピング２の推定値の収束よりはるかに遅くなければならない。例えば、これらの位置閾値の値は、例えばＮｒｅｔｒｏ＝３０とした場合に、マッピング２の更新完了がＮｒｅｔｒｏ回行なわれた後に更新することができる。
【００３３】
下位位置閾値θｃｌｕｔｃｈＬＢに関して、下位限界値θｃｌｕｔｃｈＬＢ＿ｌｉｍ  Ｂ及び上位限界値θｃｌｕｔｃｈＬＢ＿ｌｉｍ  Ｈを、次の方程式が常に成り立つように定めることができる：
θｃｌｕｔｃｈＬＢ＿ｌｉｍ  Ｂ≦θｃｌｕｔｃｈＬＢ（ｋ）≦θｃｌｕｔｃｈＬＢ＿ｌｉｍ  Ｈ
上の方程式では、ｋは、行なわれる閾値更新の回数を表わす。
【００３４】
同様に、上位位置閾値θｃｌｕｔｃｈＨＢに関して、下位限界値θｃｌｕｔｃｈＨＢ＿ｌｉｍ  Ｂ及び上位限界値θｃｌｕｔｃｈＨＢ＿ｌｉｍ  Ｈを、次の方程式が常に成り立つように定めることができる：
θｃｌｕｔｃｈＨＢ＿ｌｉｍ  Ｂ≦θｃｌｕｔｃｈＨＢ（ｋ）≦θｃｌｕｔｃｈＨＢ＿ｌｉｍ  Ｈ
【００３５】
更に、次の条件式が満たされる必要がある：
2010538216.tif 000003
【００３６】
クラッチ曲線のテンプレートを用いる、すなわち上位位置閾値θｃｌｕｔｃｈＨＢと下位位置閾値θｃｌｕｔｃｈＬＢとの差を限定することもできる。
ΔθｃｌｕｔｃｈＨＢＬＢ＿ｌｉｍ  Ｂ≦θｃｌｕｔｃｈＨＢ（ｋ）−θｃｌｕｔｃｈＬＢ（ｋ）≦ΔθｃｌｕｔｃｈＨＢＬＢ＿ｌｉｍ  Ｈ
上の条件式では、次の関係が成り立つ：
０＜ΔθｃｌｕｔｃｈＨＢＬＢ＿ｌｉｍ  Ｂ＜ΔθｃｌｕｔｃｈＨＢＬＢ＿ｌｉｍ  Ｈ＜１００
【００３７】
上に挙げたこれらの方程式を考慮に入れるために、次の汎用閾値を定義することができる：
2010538216.tif 000004
【００３８】
従って、クラッチマッピング２の更新をＮｒｅｔｒｏ回行なうたびに、位置閾値をクラッチマッピング２の最小値θｃｌｕｔｃｈＣＣ＿ｍｉｎ（ｋ）及び最大値θｃｌｕｔｃｈＣＣ＿ｍａｘ（ｋ）に関して更新して、次の等式が成り立つようにする：
2010538216.tif 000005
上の等式では、θｃｌｕｔｃｈＣＣ（ｉ）は、クラッチマッピング２に登録されたｉ番目のポイントである。
【００３９】
常に、次の関係が成り立つ：
０≦θｃｌｕｔｃｈＬＢ（ｋ）≦θｃｌｕｔｃｈＣＣ＿ｍｉｎ（ｋ）≦θｃｌｕｔｃｈＣＣ＿ｍａｘ（ｋ）≦θｃｌｕｔｃｈＨＢ（ｋ）≦１００
【００４０】
ｋ回更新後のこれらの閾値は、ｋ回目の更新前であって、かつ（ｋ−１）回目の更新後の値に基づいて、次の方程式を用いて計算することができる：
2010538216.tif 000006
上の方程式では、αｃｌｕｔｃｈＬＢ及びαｃｌｕｔｃｈＨＢは、これらの閾値に対する収束係数であり、次の関係が成り立つ：
2010538216.tif 000007
更に上の方程式では、ΔθｃｌｕｔｃｈＬＢ及びΔθｃｌｕｔｃｈＨＢは、クラッチ曲線に関する加速ペダル３の位置閾値の補正係数であり、次の関係が成り立つ：
2010538216.tif 000008
【００４１】
簡易的には、補正係数は定数として考えることができる。中間位置閾値θｃｌｕｔｃｈＭＢは、簡易的に次の方程式により求めることができる：
θｃｌｕｔｃｈＭＢ（ｋ）＝（θｃｌｕｔｃｈＨＢ（ｋ）−θｃｌｕｔｃｈＬＢ（ｋ））＊０．８＋θｃｌｕｔｃｈＬＢ（ｋ）
上の方程式では、中間位置閾値θｃｌｕｔｃｈＭＢは、例えば範囲［θｃｌｕｔｃｈＬＢ（ｋ），θｃｌｕｔｃｈＨＢ（ｋ）］の８０％に等しい。
【００４２】
更新されたクラッチマッピング２に適合する位置閾値に向かって収束する速度を速くするために、収束係数αｃｌｕｔｃｈＬＢ，αｃｌｕｔｃｈＨＢを、車両を使用している間に変化させることができる。車両が最初に逆進している間に、または最初に数キロメートル進んでいる間に、大きい値を収束係数αｃｌｕｔｃｈＬＢ，αｃｌｕｔｃｈＨＢに関して選択することができる。例えば、αｃｌｕｔｃｈＬＢ＝１及びαｃｌｕｔｃｈＨＢ＝１となるよう選択することができる；従って、クラッチ曲線は、閾値一定の状態で学習されるか、または更新される；その後、値を小さくして、位置閾値をクラッチマッピング２に高速に適合させることができ、最後に、１よりも小さいが１に非常に近いデフォルト値に切り替えて、これらの閾値を車両の使用中に非常にゆっくりと変化させることができる。
【００４３】
図２は、図１に示すようなクラッチが伝達するトルクのマッピングを求める装置１を取り付けた原動機付き車両の坂道発進または坂道運転をアシストするシステムの一例を示している。
【００４４】
坂道発進アシストシステムは更に制御モジュール１７を備え、当該制御モジュール１７は電子制御ユニット４に属し、そしてクラッチが伝達するトルクで、勾配により生じる影響を打ち消すときに、ブレーキ装置１８を制御してブレーキを坂道発進中に接続手段１９を介して解除する。制御モジュール１７は、重力に打ち勝つためにクラッチによって伝達される必要のあるトルクを推定するモジュール２０、及び、重力に打ち勝つために伝達される必要のあるトルクとマッピング２から得られるクラッチによって伝達される必要のあるトルクとのコンパレータ２１を備える。制御モジュール１７は更に、ギアチェンジレバーのポジションｂに対応する変速比を求めるモジュール２２を備える。
【００４５】
また、電子制御ユニット４は勾配θｔｉｌｔを表わす情報アイテムを勾配センサ２３から接続手段２４を介して受信する。電子制御ユニット４はまた、車両に搭載される種々のセンサまたは推定器により供給される複数の他の信号２５を受信する。これらの信号は、車両の種々の運転パラメータの値を表わす。
【００４６】
車両の運転者が坂道発進または坂道運転をしている間、推定モジュール２０は、始動するために車輪に伝達される必要のあるトルクＣＴｄを次の関係式を用いて見積もる：
ＣＴｄ＝ｒ（ｂ）．ρｗｈｅｅｌｓ．ｍ．ｇ．ｓｉｎ（θｔｉｌｔ）
上の関係式では：
ＣＴｄは、重力に打ち勝つためにクラッチが伝達する必要のあるトルクをＮｍで表わし；
ｒ（ｂ）は、ギアチェンジレバーのポジションｂに対応する変速比を無次元で表わし；
ρｗｈｅｅｌｓは、車両の車輪の半径をｍで表わし；
ｍは、車両の重量をｋｇで表わし；
ｇは、９．８１ｍ．ｓ−２に等しい地球の表面における重力場を表わし；そして
θｔｉｌｔは、車両が置かれている表面の傾斜であって、勾配センサが供給する傾斜をｒａｄ（ラジアン）で表わしている。
【００４７】
この計算を行なうために、モジュール２２は推定モジュール２０に、ギアチェンジレバーのポジションｂに対応する変速比を供給する。コンパレータ２１は、伝達される必要があり、かつ推定モジュール２０により推定されるトルクとクラッチが伝達するトルクとを比較し、クラッチが伝達するトルクの値はマッピング２から得られる。クラッチが伝達するトルクが、伝達される必要があり、かつ推定モジュール２０により推定されるトルクと等しいかまたはそれより大きい場合、制御モジュール１７はブレーキ装置１８を制御してブレーキを解除する。
【００４８】
本発明によって、クラッチマッピングをクラッチの摩耗を考慮に入れて経時的に更新することができるので、高精度のクラッチマッピングの実現が可能となる。
【００４９】
本発明によって更に、坂道発進を行なう運転者に対するアシストを、クラッチの摩耗を考慮に入れながら、より高い精度で行なうことができる。
【図１】
2010538216.tif 000009
【図２】
2010538216.tif 000010
【図３】
2010538216.tif 000011
【国際調査報告】
2010538216.tif 000012
2010538216.tif 000013
2010538216.tif 000014
2010538216.tif 000015